(57)【要約】【課題】レンズ光軸の傾きを容易に調節できるレンズ鏡筒を提供する。【解決手段】レンズ１，２を保持するレンズ保持枠５０をウェーブワッシャ４１の付勢力で光軸方向後方に付勢して、摺動枠３０の内周面で保持する。保持枠３０に設けられた雌ねじ部３１に調芯ピン６０を螺合させ、調芯ピン６０を光軸ＡＸに向けてねじ込んでいくと、調芯ピン６０の先端部６１は、ウェーブワッシャ４１の付勢力に抗して斜面５２ａを光軸方向前方へ押圧する。これにより、レンズ保持枠５０、すなわちレンズ１，２は、調芯ピン６０および光軸ＡＸを含む平面内で光軸方向前方に傾斜する。雌ねじ部３１は、光軸ＡＸを中心として摺動枠３０に対して放射状に１８箇所設けられているので、レンズ１，２の光軸方向後方への変位量が最も大きくなる円周方向位置の近傍の雌ねじ部３１に調芯ピン６０を螺合させることで、容易にレンズ１，２の光軸ＡＸの傾きを修正できる。【選択図】図１
2007133089.tif 000002
【特許請求の範囲】
【請求項１】
レンズと、
前記レンズを保持し、前記レンズの光軸と垂直な面に対して傾斜している斜面が外周に設けられたレンズ保持枠と、
前記レンズ保持枠を支持する外枠と、
前記レンズ保持枠と前記外枠との間に配置され、前記レンズ保持枠を前記レンズの光軸方向に付勢する付勢部材と、
前記レンズ保持枠の斜面を押圧することで、前記付勢部材による付勢力に抗して前記レンズ保持枠を前記光軸方向に押圧して前記レンズの光軸を傾斜させる押圧部材とを備えることを特徴とするレンズ鏡筒。
【請求項２】
請求項１に記載のレンズ鏡筒において、
前記外枠は、外周面から内周面にかけて貫通した複数の貫通孔を有し、
前記押圧部材が挿入される前記貫通孔とは前記光軸に関して略対称の位置に設けられた前記貫通孔に挿入されて前記レンズ保持枠の斜面を押圧する対称位置押圧部材をさらに備えることを特徴とするレンズ鏡筒。
【請求項３】
レンズと、
前記レンズを保持するレンズ保持枠と、
基準面に当接するように前記レンズ保持枠を前記レンズの光軸方向に付勢する付勢部材と、
前記レンズ保持枠を前記光軸に対して略垂直に押圧することで前記レンズ保持枠を前記基準面に対して傾斜させて、前記レンズの光軸の傾きを調節する押圧部材とを備えることを特徴とするレンズ鏡筒。
【発明の詳細な説明】
【技術分野】
【０００１】
本発明は、レンズの光軸の傾斜を調節可能なレンズ鏡筒に関する。
【背景技術】
【０００２】
レンズを鏡筒に取り付ける際に部品精度や寸法公差等によってレンズの光軸が傾くことがあるため、偏芯ピンを用いてレンズ光軸の傾きを調節するように構成したレンズ鏡筒が知られている。このレンズ鏡筒では、１本の基準ピンと２本の偏芯ピンの計３本のピンがレンズ光軸を中心に１２０度毎にレンズ光軸に向かって配設されており、レンズ鏡筒を分解することなくレンズ光軸の傾きを調節できる（特許文献１参照）。
【０００３】
【特許文献１】特開２０００−６６０７６号公報
【発明の開示】
【発明が解決しようとする課題】
【０００４】
しかし、従来のレンズ鏡筒では、２本の偏芯ピンを回すことでレンズ光軸の傾きを精度よく調節することが困難であり、調節作業には作業者の熟練を要していた。
【課題を解決するための手段】
【０００５】
（１）  請求項１の発明によるレンズ鏡筒は、レンズと、レンズを保持し、レンズの光軸と垂直な面に対して傾斜している斜面が外周に設けられたレンズ保持枠と、レンズ保持枠を支持する外枠と、レンズ保持枠と外枠との間に配置され、レンズ保持枠をレンズの光軸方向に付勢する付勢部材と、レンズ保持枠の斜面を押圧することで、付勢部材による付勢力に抗してレンズ保持枠を光軸方向に押圧してレンズの光軸を傾斜させる押圧部材とを備えることを特徴とする。
（２）  請求項２の発明は、請求項１に記載のレンズ鏡筒において、外枠は、外周面から内周面にかけて貫通した複数の貫通孔を有し、押圧部材が挿入される貫通孔とは光軸に関して略対称の位置に設けられた貫通孔に挿入されてレンズ保持枠の斜面を押圧する対称位置押圧部材をさらに備えることを特徴とする。
（３）  請求項３の発明によるレンズ鏡筒は、レンズと、レンズを保持するレンズ保持枠と、基準面に当接するようにレンズ保持枠をレンズの光軸方向に付勢する付勢部材と、レンズ保持枠を光軸に対して略垂直に押圧することでレンズ保持枠を基準面に対して傾斜させて、レンズの光軸の傾きを調節する押圧部材とを備えることを特徴とする。
【発明の効果】
【０００６】
本発明によるレンズ鏡筒では、レンズ光軸の傾きを容易に調節できる。
【発明を実施するための最良の形態】
【０００７】
図１〜５を参照して、本発明によるレンズ鏡筒の一実施の形態を説明する。図１は、本発明によるレンズ鏡筒を光軸を通る平面で切った断面図であり、図２は、図１のＡ−Ａ断面図である。レンズ鏡筒１００は、固定筒１０と、回転環２０と、摺動枠３０と、押さえ環４０と、ウェーブワッシャ４１と、レンズ保持枠５０と、レンズ１，２と、調芯ピン６０とを備えている。図１において、ＡＸはレンズ１，２の光軸であり、矢印の方向が光軸方向前方（被写体側）を示す。
【０００８】
固定筒１０は、略円筒形状の部材であり、円筒の中心から放射状に、すなわち光軸ＡＸを中心として放射状に貫通孔１１が１８箇所設けられ、内周面には光軸ＡＸと平行となるように直線溝１２が設けられている。回転環２０は、固定筒１０の内周面で摺動可能な略円筒形状の部材であり、光軸ＡＸを中心として放射状に貫通孔２１が１８箇所設けられ、円筒部分には光軸ＡＸに対して傾斜するようにカム溝２２が設けられている。
【０００９】
摺動枠３０は、回転環２０の内周面で摺動可能な略円筒形状の部材であり、光軸ＡＸを中心として放射状に雌ねじ部３１が１８箇所設けられ、外周面には摺動ピン３２が螺合される雌ねじ部３３が設けられている。なお、摺動ピン３２は、固定筒１０の直線溝１２および回転環２０のカム溝２２に摺動可能に嵌挿される。摺動枠３０には、内径が大きい光軸方向前方の薄肉部３４と、内径が小さい光軸方向後方の厚肉部３５とが設けられている。摺動枠３０の内周面は薄肉部３４と厚肉部３５との内径差によって段付き形状を呈する。この段付き部分の光軸方向前方の端面３５ａには、後述するようにレンズ保持枠５０の端面が当接する。
【００１０】
摺動枠３０の光軸方向前方、すなわち薄肉部３４の開放端側の内周面には、後述する押さえ環４０が螺合する雌ねじ３６が刻設されている。なお、雌ねじ部３１は、薄肉部３４に設けられて、薄肉部３４の内周面から外周面まで貫通している。一部の雌ねじ部３１には、調芯ピン６０が螺合する。調芯ピン６０は、雌ねじ部３１と螺合するすりわり付止めねじと同形状の部材である。ねじ先に相当する調芯ピン６０の先端部６１はテーパ形状を呈する。
【００１１】
押さえ環４０は、摺動枠３０の雌ねじ３６と螺合する雄ねじ部４０ａが外周面に設けられた環状の部材である。押さえ環４０は、摺動枠３０の雌ねじ３６と螺合してウェーブワッシャ４１を介してレンズ保持枠５０を光軸方向後方に押圧することで、後述するようにレンズ保持枠５０を摺動枠３０に固定する。ウェーブワッシャ４１は、軸方向の圧縮力によって撓むワッシャである。ウェーブワッシャ４１は、後述するようにその弾性力によってレンズ保持枠５０を光軸方向後方に付勢する。
【００１２】
レンズ保持枠５０は、摺動枠３０の内周面で保持される略円筒形状の部材であり、内周面でレンズ１，２を保持している。レンズ保持枠５０の外周面には、光軸ＡＸ方向の略中央近傍にフランジ状の突条５１が設けられている。突条５１の頂部には、レンズ保持枠５０の周方向に沿ってＶ字状の溝部５２が設けられている。すなわち、溝部５２の斜面５２ａ，５２ｂは、光軸ＡＸと垂直な面に対して傾斜している斜面を形成している。
【００１３】
突条５１より光軸方向後方のレンズ保持枠５０の外周面には、摺動枠３０の厚肉部３５の内周面と所定の公差で嵌合する嵌合部５３が設けられている。レンズ保持枠５０は、摺動枠３０の内周面に光軸方向前方から挿入された後、雌ねじ３６と螺合する押さえ環４０によってウェーブワッシャ４１を介して光軸方向後方に付勢されて摺動枠３０に固定される。すなわち、レンズ保持枠５０は、ウェーブワッシャ４１の付勢力で突条５１の光軸方向前方の端面５１ｂが光軸方向後方に押圧されるので、突条５１の光軸方向後方の端面５１ａが摺動枠３０の端面３５ａに当接する。また、レンズ保持枠５０は、摺動枠３０の内周面に光軸方向前方から挿入されると、嵌合部５３が摺動枠３０の厚肉部３５の内周面と嵌合する。
【００１４】
このように、押さえ環４０とウェーブワッシャ４１とによってレンズ保持枠５０を光軸方向後方に押圧することでレンズ保持枠５０を摺動枠３０に固定できる。したがって、レンズ保持枠５０の摺動枠３０への取り付け作業時には調芯ピン６０は必要ないので、レンズ保持枠５０の摺動枠３０への取り付け作業は容易である。
【００１５】
なお、レンズ鏡筒１００では、合焦のためにレンズ１，２が光軸方向へ移動するものであってもよく、焦点距離変更のためにレンズ１，２が光軸方向へ移動するものであってもよい。合焦のためにレンズ１，２が光軸方向へ移動するように構成されている場合、不図示のピントリングが光軸ＡＸ回りに回動されると、ピントリングの回動に合わせて、固定筒１０に対して回転環２０が光軸ＡＸを中心に回動される。焦点距離変更のためにレンズ１，２が光軸方向へ移動するように構成されている場合、不図示のズームリングが光軸ＡＸ回りに回動されると、ズームリングの回動に合わせて、固定筒１０に対して回転環２０が光軸ＡＸを中心に回動される。
【００１６】
上述のように構成されるレンズ鏡筒１００では、固定筒１０に対して回転環２０が光軸ＡＸを中心に回動されると、カム溝２２は直線溝１２に嵌挿されて光軸ＡＸ回りの回動を規制された摺動ピン３２を光軸ＡＸ方向に移動させる。これにより、摺動ピン３２が螺合された摺動枠３０とレンズ保持枠５０は光軸ＡＸ方向に移動される。また、レンズ鏡筒１００では、レンズ鏡筒１００を分解することなく、次のようにしてレンズ１，２の光軸ＡＸの傾きを調整できる。
【００１７】
−−−レンズ１，２の光軸ＡＸの傾き調整−−−
部品精度や寸法公差等によってレンズ１，２の光軸ＡＸが傾くことがあるため、レンズ１，２の光軸ＡＸの傾き調整する必要が生じる場合がある。その場合には、次のようにしてレンズ１，２の光軸ＡＸの傾きを調整する。雌ねじ部３１に調芯ピン６０を螺合させると、調芯ピン６０の先端部６１が溝部５２の光軸方向前方の斜面５２ａに当接する。先端部６１が溝部５２の斜面５２ａに当接した後、さらに調芯ピン６０を光軸ＡＸに向けてねじ込んでいくと、調芯ピン６０は、ウェーブワッシャ４１の付勢力に抗して斜面５２ａを光軸方向前方へ押圧する。これにより、レンズ保持枠５０、すなわちレンズ１，２は、調芯ピン６０および光軸ＡＸを含む平面内で光軸方向前方に傾斜する。
【００１８】
雌ねじ部３１は、光軸ＡＸを中心として摺動枠３０に対して放射状に１８箇所設けられているので、レンズ１，２の光軸方向後方への変位量が最も大きくなる円周方向位置の近傍の雌ねじ部３１に調芯ピン６０を螺合させることで、容易にレンズ１，２の光軸ＡＸの傾きを修正できる。
【００１９】
雌ねじ部３１に調芯ピン６０を螺合させるためには、図１，２に示すように貫通孔１１、貫通孔２１、および、雌ねじ部３１の位置が一致している必要がある。したがって、レンズ１，２の光軸ＡＸの傾きを調整する際には、固定筒１０に対して回転環２０を光軸ＡＸを中心に回動させて、貫通孔１１、貫通孔２１、および、雌ねじ部３１の位置を一致させている。調芯ピン６０の頭部にはすりわりが設けられているので、マイナスドライバーなどの工具を用いて、調芯ピン６０を雌ねじ部３１に螺合させることができる。
【００２０】
図３は、複数ある雌ねじ部３１のうちのある一箇所の雌ねじ部３１ａの軸心と光軸ＡＸとを含む平面におけるレンズ鏡筒１００の断面図、すなわち、図２のＢ−Ｂ断面図である。たとえば、図２において、レンズ１，２の光軸方向後方への変位量が最も大きくなる円周方向位置が、雌ねじ部３１ａの円周方向位置と略一致している場合、図３に示すように、雌ねじ部３１ａと位置を合わせた貫通孔１１ａおよび貫通孔２１ａから調芯ピン６０を挿入して、雌ねじ部３１ａに螺合させる。そして、先端部６１で斜面５２ａを光軸方向前方へ押圧することで、矢印１０１で示す方向にレンズ保持枠５０を傾動させて、レンズ１，２の光軸ＡＸの傾きを修正する。
【００２１】
また、図２において、レンズ１，２の光軸方向後方への変位量が最も大きくなる円周方向位置が、雌ねじ部３１ａの円周方向位置と雌ねじ部３１ｂの円周方向位置との略中間となる場合、雌ねじ部３１ａ，３１ｂのそれぞれに調芯ピン６０を螺合させることで、レンズ１，２の光軸ＡＸの傾きを修正できる。
【００２２】
なお、レンズ１，２の光軸方向後方への変位量が最も大きくなる円周方向位置が、雌ねじ部３１ａの円周方向位置と雌ねじ部３１ｂの円周方向位置との間の任意の位置である場合には、次のようにしてレンズ１，２の光軸ＡＸの傾きを修正できる。たとえば、レンズ１，２の光軸方向後方への変位量が最も大きくなる円周方向位置が、雌ねじ部３１ａの円周方向位置に寄っている場合には、雌ねじ部３１ａに螺合した調芯ピン６０をより多く薄肉部３４の内周面から突出させる。レンズ１，２の光軸方向後方への変位量が最も大きくなる円周方向位置が、雌ねじ部３１ｂの円周方向位置に寄っている場合には、雌ねじ部３１ｂに螺合した調芯ピン６０をより多く薄肉部３４の内周面から突出させる。このようにすることで、レンズ１，２の光軸方向後方への変位量が最も大きくなる円周方向位置に合わせてレンズ１，２の光軸ＡＸの傾きを適切に修正できる。すなわち、雌ねじ部３１ａに螺合させた調芯ピン６０と、雌ねじ部３１ｂに螺合させた調芯ピン６０の、薄肉部３４の内周面からの突出量を適宜調節することで、レンズ１，２の光軸方向後方への変位量が最も大きくなる円周方向位置に合わせてレンズ１，２の光軸ＡＸの傾きを適切に修正できる。
【００２３】
上述のように、レンズ１，２の光軸方向後方への変位量が最も大きくなる円周方向位置の近傍の雌ねじ部３１に調芯ピン６０を螺合させることで、レンズ１，２の光軸ＡＸの傾きを修正した場合、レンズ保持枠５０は、調芯ピン６０がねじ込まれる方向に移動する。すなわち、上述したレンズ１，２の光軸ＡＸの傾き調整を行うと、レンズ１，２の光軸ＡＸは、調芯ピン６０の進行方向にシフトする。レンズ１，２の光軸ＡＸのシフト量は、レンズ保持枠５０の嵌合部５３と摺動枠３０の厚肉部３５の内周面との公差に依存する。
【００２４】
嵌合部５３と厚肉部３５の内周面との公差は小さいため、上述したレンズ１，２の光軸ＡＸのシフトによるレンズ鏡筒１００の光学性能への影響はほとんどない。また、次のようにすることで、上述した光軸ＡＸのシフトを防止できる。
【００２５】
たとえば、図２において、レンズ１，２の光軸方向後方への変位量が最も大きくなる円周方向位置が、雌ねじ部３１ａの円周方向位置と略一致している場合、図４に示すように、光軸ＡＸに関して雌ねじ部３１ａと対称となる円周方向位置に設けられた雌ねじ部３１ｃに調芯ピン６０を螺合させる。そして、雌ねじ部３１ｃに螺合させた調芯ピン６０の先端部６１を斜面５２ａに当接させることで、レンズ保持枠５０が紙面下方に移動することを防止する。雌ねじ部３１ａに調芯ピン６０を螺合させることで、上述のようにレンズ１，２の光軸ＡＸの傾きを修正できる。
【００２６】
このように、レンズ保持枠５０を傾動させるための調芯ピン６０とは光軸ＡＸに関して略対称の位置にレンズ保持枠５０のシフト防止用の調芯ピン６０を設けることで、上述した光軸ＡＸのシフトを防止して、レンズ１，２の光軸ＡＸの傾きを修正することができる。この場合、雌ねじ部３１ｃに螺合させた調芯ピン６０の先端部６１と斜面５２ａとの当接部分を中心としてレンズ保持枠５０が傾動されて、レンズ１，２の光軸ＡＸの傾きが修正される。
【００２７】
なお、図５に示すように、調芯ピン６０の先端部６１の角度θ１は、斜面５２ａの傾斜角度θ２よりも大きくなるように設定されている。そのため、調芯ピン６０は、先端部６１の最先端部分６１ａで斜面５２ａと当接する。
【００２８】
上述したレンズ鏡筒１００では、次の作用効果を奏する。
（１）  摺動枠３０の円周方向に複数設けられた雌ねじ部３１の一部に調芯ピン６０を螺合させ、この調芯ピン６０の先端部６１でレンズ保持枠５０の斜面５２ａをウェーブワッシャ４１の付勢力に抗して押圧することでレンズ１，２の光軸ＡＸの傾きを修正するように構成した。これにより、レンズ１，２の光軸方向後方への変位量が最も大きくなる円周方向位置の近傍の雌ねじ部３１に調芯ピン６０を螺合させることができるので、レンズ１，２の光軸ＡＸの傾きを容易に修正できる。
【００２９】
（２）  調芯ピン６０を雌ねじ部３１に螺合させることで調芯ピン６０を光軸ＡＸに向かって光軸ＡＸと直交する方向に移動させて、先端部６１でレンズ保持枠５０の斜面５２ａを押圧するように構成した。これにより、調芯ピン６０の回転量に対するレンズ保持枠５０の光軸方向への傾斜量を小さくできるので、レンズ１，２の光軸ＡＸの傾きを精密に修正できる。
【００３０】
（３）  レンズ保持枠５０を傾動させるための調芯ピン６０とは光軸ＡＸに関して略対称の位置にレンズ保持枠５０のシフト防止用の調芯ピン６０を設けることで、上述した光軸ＡＸのシフトを防止して、レンズ１，２の光軸ＡＸの傾きを修正できる。これにより、レンズ鏡筒１００の光学性能に影響を与えることなくレンズ１，２の光軸ＡＸの傾きを修正できる。
【００３１】
−−−変形例−−−
（１）  上述の説明では、レンズ保持枠５０を光軸方向後方に付勢するためにウェーブワッシャ４１の弾性力を利用しているが、本発明はこれに限定されない。たとえば、ウェーブワッシャの代わりに他のバネ部材を用いてもよく、ゴムなどの弾性体を用いてもよい。
【００３２】
（２）  上述の説明では、雌ねじ部３１は光軸ＡＸを中心として摺動枠３０に対して放射状に１８箇所設けられているが、本発明はこれに限定されない。雌ねじ部３１は光軸ＡＸを中心として摺動枠３０に対して放射状に３箇所以上設けられていればレンズ１，２の光軸ＡＸの傾きを修正できる。なお、レンズ１，２の光軸ＡＸの傾き調整を容易に行うためには、摺動枠３０の円周方向に細かい角度ピッチで雌ねじ部３１を設ける方が望ましい。
【００３３】
（３）  上述の説明では、レンズ保持枠５０の外周面に突条５１が設けられ、突条５１の頂部に溝部５２が設けられているが、本発明はこれに限定されない。調芯ピン６０の先端部６１でレンズ保持枠５０を光軸方向前方に押圧できるように斜面５２ａのような斜面が設けられ、かつ、調芯ピン６０の先端部６１が薄肉部３４の内周面から突出するのを妨げないように構成されていれば、たとえば、光軸方向後方の斜面５２ｂが設けられていなくてもよい。
【００３４】
（４）  上述の説明では、レンズ１，２が摺動枠３０とともに光軸方向前後に移動可能に構成されているが、レンズ１，２が光軸方向前後に移動可能に構成されていることは必須ではない。
【００３５】
（５）  上述の説明では、１本または２本の調芯ピン６０でレンズ保持枠５０の周縁の一部を光軸方向前方に押圧してレンズ１，２の光軸ＡＸの傾きを調整しているが、本発明はこれに限定されない。たとえば図６に示すように、レンズ１，２と、レンズ１，２を保持するレンズ保持枠５０と、基準面１３５に当接するようにレンズ保持枠５０をレンズの光軸方向に付勢する付勢部材４１とをレンズ鏡筒に設ける。そして、押圧部材６０によってレンズ保持枠を光軸に対して略垂直に押圧することでレンズ保持枠に回転モーメントを与え、レンズ保持枠を、当接点７０を回転中心として基準面に対して傾斜させて、レンズの光軸の傾きを調節するようにしてもよい。これにより、上述の場合と同様に、レンズの光軸の傾きを容易に修正できる。
【００３６】
（６）  上述の説明では、１本または２本の調芯ピン６０でレンズ保持枠５０の周縁の一部を光軸方向前方に押圧してレンズ１，２の光軸ＡＸの傾きを調整しているが、たとえば、光軸ＡＸを中心に１２０度のピッチで３箇所の雌ねじ部３１に調芯ピン６０を螺合させて、３箇所とも同様にレンズ保持枠５０を光軸方向前方に押圧してもよい。このように、３箇所とも同様にレンズ保持枠５０を光軸方向前方に押圧することで、レンズ１，２を光軸方向前方にシフトすることもできる。
（７）  上述した各実施の形態および変形例は、それぞれ組み合わせてもよい。
【００３７】
なお、以上の説明はあくまで一例であり、発明を解釈する際、上記の実施形態の記載事項と特許請求の範囲の記載事項の対応関係になんら限定も拘束もされない。
【図面の簡単な説明】
【００３８】
【図１】レンズ鏡筒を光軸ＡＸを通る平面で切った断面図である。
【図２】図１のＡ−Ａ断面図である。
【図３】図２のＢ−Ｂ断面図である。
【図４】光軸ＡＸに関して雌ねじ部３１ａと対称となる円周方向位置に設けられた雌ねじ部３１ｃに調芯ピン６０を螺合させた状態を示す断面図である。
【図５】調芯ピン６０の先端部６１が当接する斜面５２ａの近傍の断面を拡大した図である。
【図６】実施形態を示す断面図である。
【符号の説明】
【００３９】
１，２  レンズ                          １０  固定筒
２０  回転環                            ３０  摺動枠
３１  雌ねじ部                          ４０  押さえ環
４１  ウェーブワッシャ                  ５０  レンズ保持枠
５１  突条                              ５２  溝部
５２ａ，５２ｂ  斜面                    ６０  調芯ピン
１００  レンズ鏡筒                      ＡＸ  光軸
【図１】
2007133089.tif 000003
【図２】
2007133089.tif 000004
【図３】
2007133089.tif 000005
【図４】
2007133089.tif 000006
【図５】
2007133089.tif 000007
【図６】
2007133089.tif 000008